(57)【要約】【課題】雨水等の貯水用空間を構築するための新規の構築用ブロックの提供を図る。【解決手段】矩形状平板部に対して、当該平板部側に開口面を連ねかつ上面を閉鎖端とする支持用突状部を形成した貯水空間構築用ブロックにおいて、当該支持用突状部の形態を、平面十字状を呈するものとすると共に、その全体を先細り状テーパー面とするように形成し、更に、当該支持用突状部の十字状突出端面である四つの面部を、矩形状平板部の四辺と夫々並行する面部とするように構成する。【選択図】  図１
2017031663.tif 000002
【特許請求の範囲】
【請求項１】
矩形状平板部に対して、当該平板部側に開口面を連ねて支持用突状部を形成した貯水空間構築用ブロックにおいて、
当該支持用突状部の形態を、平面十字状を呈するものとすると共に、その全体を先細り状テーパー面とするように形成し、
更に、当該支持用突状部の十字状突出端面である四つの端面部を、矩形状平板部の四辺と夫々並行する面部とするように構成した貯水空間構築用ブロック。
【請求項２】
支持用突状部の先端面部及び矩形状平板部の両方、或は何れか一方に、十文字状の梁材を取付けるための凹部を形成した請求項１に記載の貯水空間構築用ブロック。
【発明の詳細な説明】
【技術分野】
【０００１】
本発明は、雨水等の貯水用空間を構築するための構築用ブロックに関する。
【背景技術】
【０００２】
雨水等の一時的または恒久的貯留を目的とする、貯水空間構築用ブロックとしては、各種のものが存在する。そして、一例を示せば、図６に示すように、平板部ａに対して円錐台状の筒状部分ｂを、突出させた形態を有するものがある(例えば特許文献１参照。)。そしてこれらは、その筒状部分を互いに対向させた状態のものを一単位とし、これを複数単位、前後・左右・上下の各方向に連ならせることにより、所要の貯水空間を構築するものである。
【先行技術文献】
【特許文献】
【０００３】
【特許文献１】特許第５４４０８２４号公報
【発明の概要】
【発明が解決しようとする課題】
【０００４】
上記したような、従来の構築用ブロックで形成した貯水空間の場合、平面円形を呈する筒状部分が、支持用柱としての役割を果たす。従って、その柱面は円滑にしてかつ流動性を具えた水の抵抗を受けにくいもの、すなわち、流動性に富んだ面として存在する。
【０００５】
一方、このような貯水空間に貯水用雨水等を流し込むにあたり、その流入水量が多い場合は、大量水の流入力に基づき、内部に強い不規則な流れ、或は、流渦流等を生じさせてしまう。そして、このような流れの発生は、壁部内面に対する強い衝撃を与えたり、或は、筒状部分で構成される柱部分に倒壊的歪みを与えたり、等の破壊的力として作用してしまう。特に、空間内が水で満ちてくる過程においてこのような現象が顕著に現れる。
【０００６】
更に、従来のような、平板部に対して円錐台状の筒状部分を一体化したものであると、その保管又は輸送時における積重ね作業に際して、単純に重ねていった場合、平板部の合致性が得られない、と言うような問題が生じた。すなわち、筒状部分は指向性がないため何等の問題はない。然し乍ら、平板部分に対する合致性を留意しながら積重ね作業を行わないと、多数積重ねた構築用ブロック全体において、夫々の平板部分の角が揃わない、と言うような事態を招くこととなる。そして、このような個々の角合わせは、結構、神経を使う煩雑な作業に属するものである。
【０００７】
本発明は、このような問題を解決した、新規の貯水空間構築用ブロックの提供を図ったものである。
【課題を解決するための手段】
【０００８】
本発明は請求項１に記載のように、矩形状平板部に対して、当該平板部側に開口面を連ねて支持用突状部を形成した貯水空間構築用ブロックにおいて、
当該支持用突状部の形態を、平面十字状を呈するものとすると共に、その全体を先細り状テーパー面とするように形成し、
更に、当該支持用突状部の十字状突出端面である四つの端面部を、矩形状平板部の四辺と夫々並行する面部とするように構成した貯水空間構築用ブロックに係る。
【０００９】
本発明は請求項２に記載のように、支持用突状部の先端面部及び矩形状平板部の両方、或は何れか一方に、十文字状の梁材を取付けるための凹部を形成した請求項１に記載の貯水空間構築用ブロックを実施の態様とする。
【発明の効果】
【００１０】
本発明は請求項１に記載のような構成の採用に基づき、貯水用空間の形成用ブロックとしての利用が図られる。そして、支持用突状部の形態を、平面十字状を呈するものとするように構成したから、図５に矢印で示すような、あらゆる方向からの水の流れを、当該支持用突状部２が受け止め可能とする。従って、雨水等の導水時の大量水の流入力に基づき、貯水空間の内部に発生する強い不規則な流れ、或は、流渦流等は、各支持用突状部２による受け止め力（抑止的静止力）に基づき、これを著しく緩和させる。
【００１１】
このような緩和作用は、空間内が水で満ちてくる過程において生ずる強い流動性抑止用として、特に必要とする緩和作用とされる。何故ならば、貯水空間が満ちた場合は、このような水流が生じないが、導水時の水の急速にして大量の流入力は、不規則にして著しく強い流れとされるからである。
【００１２】
更に、本発明は、支持用突状部の十字状突出端面である四つの端面部を、矩形状平板部の四辺と夫々並行する面部とするように構成したから、不使用時の保管、或は輸送時等においては、多数個を互いに積重ねて行う際、互いの支持用突状部２を単純に積重ねることにより、矩形状平板部１部分も、必然的に四隅が揃えられた状態となる。
【００１３】
従って、既存のブロックのように、平板部に円錐台状の筒状部分を一体化したものにおいては、当該筒状部の積重ねの指向性のなさから、平板部の合致化に神経を払わなければ、積み重ね後に平板部の不揃い性が生じてしまうると言う問題が生じたが、本発明にあってはこのような問題は全く一掃される。すなわち、十文字状支持用突出部を単純に積重ねるだけで、その全体的積重ね状態の整然化が必然的に図られる。
【００１４】
本発明は、請求項２に記載のように、支持用突状部の先端面部及び矩形状平板部の両方、或は何れか一方に、十文字状の梁材を取付けるための凹部を形成することにより多数単位のブロック相互の前後及び左右方向への連結を行うことが出来、構築物の全体的強度強化目的が図られる。
【図面の簡単な説明】
【００１５】
【図１】本発明の斜視図である。
【図２】同上底面図である。
【図３】同上縦断正面図である。
【図４】本発明の一単位の組み立て状態を表した正面図である。
【図５】本発明の流動性に関する作用を表した説明用平面図である。
【図６】従来品を表した斜視図である。
【発明を実施するための形態】
【００１６】
図において、1は正方形等の矩形状を呈する矩形状平板部であって、図示の実施例に示すように、その全体を碁盤の目状を呈するリブを形成することにより、補強性と軽量性が奏されように構成することが好ましい。
【００１７】
２は支持用突状部であって、上記矩形状平板部１に対して、当該平板部側に開口面を連ねかつ上面を閉鎖端とするように形成してある。そして、当該支持用突状部２の形態を、平面十字状を呈するものとすると共に、その全体を先細り状テーパー面とするように形成してある。なお、上面を閉鎖端とすることは必須要件ではなく、実施形態に依ってはこれを解放端とする場合もある。
【００１８】
上記した支持用突状部２の十字状突出端面２ａであるが、その四つの各面部は、矩形状平板部の四辺と夫々並行する面部とするように形成してある。
【００１９】
３は連結用ボスであって、支持用突状部２の閉鎖端側外面に突設してある。４は当該ボス３に係合可能とする経緯の係合孔であって、図４に示すように２個の本発明に係るブロックを突合せて一単位としての組立て時に、その両者の連結を図るためのものである。なお、これらの構成を採用することなく、単に突合せだけで実施、或は他の手段に基づき結合を図るようにして実施する場合もある。
【００２０】
更に、本発明に係るブロックの前後左右方向の連結であるが、そのために、支持用突状部２の端面部に、支持用梁を十文字状に通すための凹部２ｂを形成してある。更に、矩形状平板部１の各辺縁中央部にも、支持用梁を十文字状に通すための凹部１ａを形成してある。これに依り、図４に示すような上下に突合せ状態にある一単位のブロックを、前後左右に補強性を付与した状態で連結することが出来る。図４においてＭは梁材を示す。
【００２１】
なお、上記した梁材を通すための各凹部であるが、これは、支持用突状部２の上端だけ、或は、平板部１だけに設けるか、或はその両方に設けるか、若しくは、これらを全く設けないか、何れの形態でも本発明の対象構築物の形態に基づき実施可能とする。
【００２２】
図５は本発明のもう一つの目的とする、導入水に対する流動性静止作用を表したものである。すなわち、支持用突状部２の形態を、平面十字状を呈するものとするように構成することにより、図面に矢印で示すようなあらゆる方向からの水の流れを、当該支持用突状部２が受け止め可能とする。従って、雨水等の導水時の大量水の流入力に基づき、貯水空間の内部に発生する強い不規則な流れ、或は、流渦流等は、当該支持用突状部２による受け止め力（抑止的静止力）に基づき、これを著しく緩和させる。このような緩和は、空間内が水で満ちてくる過程において生ずる強い流動性抑止用として、特に必要とする緩和作用とされる。何故ならば、貯水空間が満ちた場合は、このような水流が生じないためである。
【００２３】
本発明に係るブロックは、不使用時の保管、或は輸送時等においては、多数個を互いに積重ねて行う。この時、互いの支持用突状部２が積重ねることが出来れば、矩形状平板部１部分も、必然的に、角が揃えられた状態となる。これにより、積み重ね後における、平板部の不揃い性の防止作用が奏される。
【符号の説明】
【００２４】
１    矩形状平板部
１ａ  凹部
２    支持用突状部
２ａ  十字状突出端面
２ｂ  凹部
３    連結用ボス
４    係合孔
Ｍ    梁材
【図１】
2017031663.tif 000003
【図２】
2017031663.tif 000004
【図３】
2017031663.tif 000005
【図４】
2017031663.tif 000006
【図５】
2017031663.tif 000007
【図６】
2017031663.tif 000008